(57)【特許請求の範囲】
【請求項１】
第１端部材、第２端部材、および第１および第２端部材の間に延在する複数のチューブを含むコア体と、
前記第１端部材に固定してつながれ、第１ポートを含む第１タンクであって、前記第１端部材とともに複数の前記チューブおよび前記第１ポートと流体的に連通状態にある第１容積室を区画する第１タンクと、
前記第２端部材に固定してつながれ、第２ポートを含む第２タンクであって、前記第２端部材とともに複数の前記チューブおよび前記第２ポートと流体的に連通状態にある第２容積室を区画する第２タンクと、
前記第１端部材に連結され、複数の第１ファンネル部を区画するように協働する第１群の複数のガイド部材であって、前記第１ファンネル部の狭い端部が複数の前記チューブのそれぞれに開口し、前記第１ファンネル部の広い端部が前記第１容積室に開口している第１群の複数のガイド部材とを備え、
前記第１群をなす複数のガイド部材の前記ガイド部材は、各々は、前記第１ポートへ向かうそれぞれの前記ガイド部材の頂部から延び出すベーンを有する熱交換器。
【請求項２】
第１端部材、第２端部材、および第１および第２端部材の間に延在する複数のチューブを含むコア体と、
前記第１端部材に固定してつながれ、第１ポートを含む第１タンクであって、前記第１端部材とともに複数の前記チューブおよび前記第１ポートと流体的に連通状態にある第１容積室を区画する第１タンクと、
前記第２端部材に固定してつながれ、第２ポートを含む第２タンクであって、前記第２端部材とともに複数の前記チューブおよび前記第２ポートと流体的に連通状態にある第２容積室を区画する第２タンクと、
前記第１端部材に連結され、複数の第１ファンネル部を区画するように協働する第１群の複数のガイド部材であって、前記第１ファンネル部の狭い端部が複数の前記チューブのそれぞれに開口し、前記第１ファンネル部の広い端部が前記第１容積室に開口している第１群の複数のガイド部材とを備え、
前記第１群をなす複数のガイド部材の各々の前記ガイド部材は、前記第１ファンネル部の狭い端部と広い端部との間の開口であって、前記第１ファンネル部の隣接するふたつを流体的に連結する開口を区画する熱交換器。
【請求項３】
第１タンク、第２タンク、および、前記第１タンクと第２タンクとの間に延在する複数のチューブを有するコアとを備える熱交換器のための挿入部品において、
複数のファンネル部分を区画しており、前記第１タンクと前記コアとの間の前記熱交換器に受け入れられるように構成されている本体であって、
それぞれの前記ファンネル部分は、複数の前記チューブのひとつに整列するように、そして、複数の前記チューブのひとつに近接した小さい開口から、前記第１タンクに近接した大きい開口へ、複数の前記チューブを前記第１タンクに流体的に結合するように、拡大するように形成されており、
前記本体は、複数のガイド部材と複数のベーンとを有しており、複数の前記ガイド部材は、前記ファンネル部分を区画するように協働しており、複数の前記ファンネル部分のそれぞれの間の頂部を区画しており、そして、複数の前記ベーンのそれぞれは、複数の前記頂部の対応するひとつに固定的に結合され、そこから複数の前記ファンネル部分から離れるように延び出している熱交換器の挿入部品。
【請求項４】
第１タンク、第２タンク、および、前記第１タンクと第２タンクとの間に延在する複数のチューブを有するコアとを備える熱交換器のための挿入部品において、
複数のファンネル部分を区画しており、前記第１タンクと前記コアとの間の前記熱交換器に受け入れられるように構成されている本体であって、
それぞれの前記ファンネル部分は、複数の前記チューブのひとつに整列するように、そして、複数の前記チューブのひとつに近接した小さい開口から、前記第１タンクに近接した大きい開口へ、複数の前記チューブを前記第１タンクに流体的に結合するように、拡大するように形成されており、
前記本体は、前記ファンネル部分を区画するために協働する複数のガイド部材を有し、それぞれの前記ガイド部材は、頂部でつながる第１壁と第２壁とを有し、前記第１壁と前記第２壁は、一対の隣接するふたつの前記ファンネル部分を前記ガイド部材を通して流体的に連通する一対の開口を区画している熱交換器の挿入部品。
【発明の詳細な説明】
【技術分野】
【０００１】
この開示は、熱交換器のための挿入部品、および熱交換器に関する。挿入部品は、流れ拡縮要素をもっている。要素は、ファンネル部分と呼ばれる。
【背景技術】
【０００２】
この項は、発明に関連する背景技術を開示するが、それは公知の従来技術として開示されるものではない。
【０００３】
内燃機関の冷却に使用されるもののような熱交換器は、典型的には、コア、入口タンク、および出口タンクを有する。入口タンクは入口ポートを含んでおり、入口貯留室を区画形成するように、コアの第１端部に固定的に装着される。出口タンクは出口ポートを含んでおり、出口貯留室を区画形成するように、コアの第２端部に固定的に装着される。コアは、入口貯留室と出口貯留室とを流体的に結合するために、コアの第１端部と第２端部との間に延在する複数のチューブを有している。典型的には、複数のチューブを通って流れる流体（例えば冷却液）から、複数のチューブ間に流れる流体（例えば空気）への熱移動を助長するために、複数のチューブの間に複数のフィンが延在している。
【０００４】
いくつかの適用例では、チューブは、入口貯留室と出口貯留室との中へ自由に延び出している。他の適用例では、チューブは、コアの端板において突然に途切れている。入口貯留室と出口貯留室との比較的大きい容積から複数のチューブ内への、そして、複数のチューブからの、これらの突然の変化は熱交換器において大きい圧力損失を生じる。
【先行技術文献】
【特許文献】
【０００５】
【特許文献１】米国特許第６７３７６７号明細書
【特許文献２】米国特許第３１９６９４３号明細書
【特許文献３】米国特許第８３７６０２９号明細書
【特許文献４】米国特許出願公開第２０１４／０１６６２４９号明細書
【発明の概要】
【発明が解決しようとする課題】
【０００６】
開示されるひとつの目的は、タンクとチューブとの間の流れが改良された熱交換器を提供する。
【課題を解決するための手段】
【０００７】
この項は、発明に関する概略的な開示を与えるが、その全範囲またはその全特徴の包括的な開示ではない。
【０００８】
この教示は、第１端部材、第２端部材、および第１および第２端部材の間に延在する複数のチューブを含むコア体と、第１端部材に固定してつながれ、第１ポートを含む第１タンクであって、第１端部材とともに複数のチューブおよび第１ポートと流体的に連通状態にある第１容積室を区画する第１タンクと、第２端部材に固定してつながれ、第２ポートを含む第２タンクであって、第２端部材とともに複数のチューブおよび第２ポートと流体的に連通状態にある第２容積室を区画する第２タンクと、第１端部材に連結され、複数の第１ファンネル部を区画するように協働する第１群の複数のガイド部材であって、第１ファンネル部の狭い端部が複数のチューブのそれぞれに開口し、第１ファンネル部の広い端部が第１容積室に開口している第１群の複数のガイド部材とを備え、第１群をなす複数のガイド部材のガイド部材は、各々は、第１ポートへ向かうそれぞれのガイド部材の頂部から延び出すベーンを有する熱交換器を提供する。
【０００９】
この教示は、第１端部材、第２端部材、および第１および第２端部材の間に延在する複数のチューブを含むコア体と、第１端部材に固定してつながれ、第１ポートを含む第１タンクであって、第１端部材とともに複数のチューブおよび第１ポートと流体的に連通状態にある第１容積室を区画する第１タンクと、第２端部材に固定してつながれ、第２ポートを含む第２タンクであって、第２端部材とともに複数のチューブおよび第２ポートと流体的に連通状態にある第２容積室を区画する第２タンクと、第１端部材に連結され、複数の第１ファンネル部を区画するように協働する第１群の複数のガイド部材であって、第１ファンネル部の狭い端部が複数のチューブのそれぞれに開口し、第１ファンネル部の広い端部が第１容積室に開口している第１群の複数のガイド部材とを備え、第１群をなす複数のガイド部材の各々のガイド部材は、第１ファンネル部の狭い端部と広い端部との間の開口であって、第１ファンネル部の隣接するふたつを流体的に連結する開口を区画する熱交換器を提供する。
【００１０】
この教示は、第１タンク、第２タンク、および、第１タンクと第２タンクとの間に延在する複数のチューブを有するコアとを備える熱交換器のための挿入部品において、複数のファンネル部分を区画しており、第１タンクとコアとの間の熱交換器に受け入れられるように構成されている本体であって、それぞれのファンネル部分は、複数のチューブのひとつに整列するように、そして、複数のチューブのひとつに近接した小さい開口から、第１タンクに近接した大きい開口へ、複数のチューブを第１タンクに流体的に結合するように、拡大するように形成されており、本体は、複数のガイド部材と複数のベーンとを有しており、複数のガイド部材は、ファンネル部分を区画するように協働しており、複数のファンネル部分のそれぞれの間の頂部を区画しており、そして、複数のベーンのそれぞれは、複数の頂部の対応するひとつに固定的に結合され、そこから複数のファンネル部分から離れるように延び出している熱交換器の挿入部品を提供する。
この教示は、第１タンク、第２タンク、および、第１タンクと第２タンクとの間に延在する複数のチューブを有するコアとを備える熱交換器のための挿入部品において、複数のファンネル部分を区画しており、第１タンクとコアとの間の熱交換器に受け入れられるように構成されている本体であって、それぞれのファンネル部分は、複数のチューブのひとつに整列するように、そして、複数のチューブのひとつに近接した小さい開口から、第１タンクに近接した大きい開口へ、複数のチューブを第１タンクに流体的に結合するように、拡大するように形成されており、本体は、ファンネル部分を区画するために協働する複数のガイド部材を有し、それぞれのガイド部材は、頂部でつながる第１壁と第２壁とを有し、第１壁と第２壁は、一対の隣接するふたつのファンネル部分をガイド部材を通して流体的に連通する一対の開口を区画している熱交換器の挿入部品を提供する。
【００１１】
この発明を適用可能な分野はここでの開示によって明らかにされる。この発明の概要における説明と具体的な例示とは、具体的な説明を与える用途だけを意図したものであって、本発明の技術的範囲を限定することを意図したものではない。
【図面の簡単な説明】
【００１２】
【図１】図１は、この開示における熱交換器組立体の断面図である。
【図２】図２は、第１の構成における流れガイドを示す熱交換器組立体の一部分の断面図である。
【図３】図３は、第２の構成における流れガイドを示す熱交換器組立体の一部分の断面図である。
【図４】図４は、第３の構成における流れガイドを示す熱交換器組立体の一部分の断面図である。
【図５】図５は、第４の構成における流れガイドを示す熱交換器組立体の一部分の断面図である。
【図６】図６は、第５の構成における流れガイドを示す熱交換器組立体の一部分の断面図である。
【図７】図７は、第６の構成における流れガイドを示す熱交換器組立体の一部分の断面図である。
【図８】図８は、第７の構成における流れガイドを示す熱交換器組立体の一部分の断面図である。
【図９】図９は、図８に示された９−９線における、熱交換器組立体の断面図である。
【図１０】図１０は、この開示における挿入部品を示す、熱交換器組立体の一部分の分解斜視図である。
【図１１】図１１は、チューブと熱交換器組立体のファンネル部との間の接続部の第１の構成を示す、図８の熱交換器組立体の一部分の断面図である。
【図１２】図１２は、チューブと熱交換器組立体のファンネル部との間の接続部の第２の構成を示す、図１１と同様な、熱交換器組立体の一部分の断面図である。
【図１３】図１３は、流れガイドの任意的な一組の停滞対策用開口を示す、熱交換器組立体の一部分の断面図である。
【図１４】図１４は、挿入部品の任意的な周囲のシールを示す図１０の熱交換器組立体の一部分の断面図である。
【図１５】図１５は、任意的なチューブ支持ピンを示す、図１０の熱交換器組立体の一部分の断面図である。
【発明を実施するための形態】
【００１３】
ここに説明された図面は、選択された実施形態を図示するためだけのものであって、すべての実用的な可能性を示すものではない。そして、ここに説明された図面は、発明の範囲を限定することを意図するものではない。複数の図面の図示にわたって、対応する参照符号は、対応する部分を指している。
【００１４】
以下、発明の複数の実施形態を図面を参照しながら詳細に説明する。
【００１５】
この教示は、熱交換器組立体のコアを通る冷却液（例えば冷却液、空気、水）の流れが改善された熱交換器組立体に指向されている。この教示における熱交換器組立体は、入口タンクから、複数のチューブを通り、出口タンクへ冷却液が流れるような、あらゆる熱交換器への適用に使用することができる。そのような熱交換器の適用における、それに制限されないひとつの例は内燃機関の冷却系装置のラジエータである。
【００１６】
図１は、熱交換器１０の断面図を示す。熱交換器は、例えば車両用のラジエータのように、ふたつの流体の間で熱を輸送するあらゆる適用において利用することができる。熱交換器１０は一般に第１タンク１４、第２タンク１８、コア２２および複数の第１の流れガイド２６を含むことができる。ここに提供される例において、熱交換器１０は、複数の第２の流れガイド２８も含んでいる。代替的な構成において、図示はされていないが、熱交換器１０は、複数の第１の流れガイド２６だけを備え、複数の第２の流れガイド２８を備えないことができ、複数の第２の流れガイド２８だけを備え、複数の第１の流れガイド２６を備えないことができる。
【００１７】
コア部２２は、第１端部材３０、第２端部材３４、および第１および第２端部材３０、３４に固定的に結合され、それらの間に延びることができる複数のチューブ３８を備える。複数のチューブ３８は、チューブ３８の両方の終端４２、４６において開いている。複数のチューブ３８は、例えば金属のような、熱伝導性の材料により造られている。この例では、複数の熱伝導性のフィン５０が、複数のチューブ３８からの熱の放散を助けるように、複数のチューブ３８の間に固定的に結合され、延びている。
【００１８】
第１タンク１４は、第１ポート５４と第１の内壁５８とを有する。第１タンク１４は、第１の内壁５８と第１端部材３０とが第１容積室６２を区画するように、第１端部材３０に固定的に結合することができる。第１ポート５４は、第１容積室６２と流体的に連通した状態におかれる。この例では、第１ポート５４は、第１容積室６２へクーリングシステムの他の要素からきた第１流体の流体的な連通を与えるように構成された入口ポートである。なお、第１流体は具体的に図示されない、例えば、エチレングリコールおよび水のような液体の冷却材である。クーリングシステムの他の要素も図示されない、例えば、エンジンや冷却水ポンプである。
【００１９】
例示的に、コア２２の反対側に入口と出口タンク１４、１８を有する熱交換器１０が図示されているが、他の構成を採用可能である。例えば、コアの同じ側に入口、出口タンクを配置することができる。一例としての構成によれば、コアの複数のチューブは、入口タンクと同じ側の出口タンクに戻るように、曲げか、カーブされることができる。例えば、複数のチューブは、Ｕ字型の構成をもつことができる。他のこのような構成において、入口および出口タンクから反対側に中間タンクを位置させることができる。このような構成において、流体は、入口タンクから、コアの複数のチューブの第１群をとおり、そして、中間タンクは複数のチューブの第１群から複数のチューブの第２群を通るように方向付けることができ、そして、出口タンクへ戻る。
【００２０】
例示的に、例えば入口ポート５４の単一の入口ポートと、例えば出口ポート６６の単一の出口ポートとを有する熱交換器１０が図示されているが、他の構成を採用可能である。例えば、入口タンク１４および／または出口タンク１８は、追加のポートを含むことができる。
【００２１】
第２タンク１８は、第２ポート６６および第２内部壁７０をもつことができる。第２タンク１８は、第２の内部壁７０と第２端部材３４とが第２容積室７４を区画するように、第２端部材３４と固定的に結合することができる。複数のチューブ３８は、第１容積室６２と第２容積室７４とを流体的に連通して、第１および第２の端部材３０、３４を通して延びることができる。この例では、複数のチューブ３８は、第１および第２の端部材３０、３４を通って、複数のチューブ３８の終端４２、４６それぞれが第１および第２の容積室６２、７４の中へ通っている。ただし、他の構成が用いられる場合を除く。例えば、終端４２、４６が、それぞれ、第１および第２の端部材３０、３４と実質的に面一な滑らかさにできる構成である。第２ポート６６は、第２の容積室７４に流体的に連通している。この例では、第２ポート６６は、そこから熱を受け取るようにクーリングシステムの他の要素へ第２容積室７４から第１流体の流体的な連通を与えるように構成された出口ポートである。クーリングシステムの他の要素も図示されない、例えば、エンジンや冷却水ポンプである。
【００２２】
したがって、流体は、一般的に見て、熱を受け取る。例えば、流体は、エンジンから熱を受ける。流体は、第１ポート５４を通して熱交換器１０に流れ込み、複数のチューブ３８を横切って流れる、例えば空気のような第２流体によって、熱を失う、そして、エンジンに戻るように、第２ポート６６を通して、熱交換器１０を出ることができる。
【００２３】
第１の流れガイド２６は、第１端部材３０に固定的に結合することができ、第１容積室６２の中へ延び出すことができる。第１の流れガイド２６は、複数のチューブ３８の中に、第１容積室６２から第１流体を、特に図示されてはいないを、仕向けるように構成することができる。第２流れガイド２８は、第２端部材３４に固定的に結合することができ、第２容積室７４の中へ延び出すことができる。第２流れガイド２８は、第２容積室７４の中へ、複数のチューブ３８から、第１流体を、特に図示されてはいないを、仕向けるように構成することができる。流れガイド２６、２８は、コアの全高さに沿って設けられているように図示されている。すなわち、流れガイド２６、２８は、第１流体を複数のチューブ３８のそれぞれへ、そして、それぞれから流れるように仕向ける。ただし、他の構成を採用可能である。例えば、いくつかのチューブ３８は、流れガイド２６、２８を含むことができ、他は対応する流れガイド２６、２８なしで構成されうる。第１と第２の流れガイド２６、２８が以下に詳細に説明される。
【００２４】
図２において、複数の第１流れガイド２６の第１の構造、特に、図中では符号２６ａで示される熱交換器１０の一部が詳細に図示されている。図２は、第１の流れガイド２６ａ、第１端部材３０、および終端４２を図示しているが、第２の流れガイド２８（図１）、第１端部材３４（図１）、および終端４６（図１）は、以下に説明される構成のどれとでも同様に構成されうるものと理解される。従って、第１の流れガイド２６ａ、第１端部材３０、および終端４２だけが、詳細に記述される。第１と第２の流れガイド２６ａ、２８（図１）は、一方とは異なるように構成されうると解釈される。言い換えると、第１の流れガイド２６は、以下に述べる構成のひとつのタイプに構成することができ、第２の流れガイド２８（図１）は、以下に述べる構成とは異なるタイプに構成することができる。
【００２５】
第１の流れガイド２６ａは、基部７８ａおよびファンネル部分８２ａを有する。ファンネル部分８２ａは、ファンネル、漏斗部、流れ拡縮要素、または流れ拡縮部とも呼ぶことができる。基部７８ａは、隣接するチューブ３８間の第１端部材３０に固定的に結合することができるか、あるいは隣接するチューブ３８に固定的に結合することができる。基部７８ａは、ろう付け、溶接、接着、ファスナー、あるいは圧迫適合などの任意の適切な方法で、その上に、固定的に結合することができる。基部７８ａは、第１端部材３０からの距離Ｌａだけ、複数のチューブ３８の長手方向軸８６と一般に平行に、第１端部材３０から外へ向かって延びることができる。この例において、距離Ｌａは、第１端部材３０から、第１容積室６２の中に向けて複数のチューブ３８が延び出している距離に実質的に等しい。ただし、以下に述べるもののように他の構成が用いられる場合がある。この例において、距離Ｌａは、それぞれの第１流れガイド２６ａと等しくできる。ただし、以下に述べるもののように他の構成が用いられる場合がある。
【００２６】
ファンネル部分８２ａは、距離Ｈａだけ、基部７８ａの対向する側部から、延び出すことができ、かつ、頂部９０ａを形成するように角度付けられる。この例において、距離Ｈａは、それぞれの第１流れガイド２６ａと等しくできる。ただし、以下に述べるもののように他の構成が用いられる場合がある。隣接したファンネル部分８２ａの対向する側部は、合計ファンネル角度θａのファンネルを一般的には形成する。ファンネルは、基部７８ａに向けて狭くなっている。ファンネルは、複数のチューブ３８の終端４２へ向けて狭くなっている。ファンネルは、基部７８ａからの距離の増加に応じて広くなっている。この例において、合計ファンネル角度θａは、対応するチューブ３８の長手方向軸８６によって、２分割することができる。合計ファンネル角度θａの等分されたふたつの半分は、対応するチューブ３８の長手方向軸８６の両側にある。ただし、以下に述べるもののように他の構成が用いられる場合がある。この例において、合計ファンネル角度θａは、すべての隣接した第１の流れガイド２６ａの間で同じでありえる。ただし、以下に述べるもののように他の構成が用いられる場合がある。
【００２７】
図３への追加的な参照において、第１の構成である複数の第１の流れガイド２６ｂが図示されている。第１の流れガイド２６ｂは、ここで他の構成が図示され、または他の構成が説明された事項を除いて、図１および図２に図示された第１の流れガイド２６ａと同じである。したがって、ここで他の構成が図示され、または他の構成が説明された事項を除いて、図１、図２および図３の間で、同様の参照符号は、同様の要素を指している。
【００２８】
この例において、第１の流れガイド２６ｂの基部７８ｂは、図２における距離Ｌａと同様の距離Ｌｂだけ、第１端部材３０から、一般的に長手方向軸８６と平行に、外へ向けて延び出すことができる。ファンネル部分８２ｂは、距離Ｈｂだけ、基部７８ｂの対向面から延び出すことができ、頂部９０ｂを形成するように角度付けられる。複数の第１の流れガイド２６ｂがもつ距離Ｈｂのそれぞれは、第１ポート５４に対する位置に応じて異なる。この例において、複数の距離Ｈｂは、第１ポート５４からの距離が増加するほど、一般的には、増加する。ただし、他の構成も使用可能である。
【００２９】
隣接したファンネル部分８２ｂの対向側面は、図２における合計ファンネル角度θａと同様の合計ファンネル角度θｂを有するファンネルを一般に形成する。合計ファンネル角度θｂは、すべての隣接した第１の流れガイド２６ｂの間において、同じであり得る。そして、合計ファンネル角度θｂは、一般的に見て、長手方向軸８６によって二分することができる。ただし、以下に述べるように、他の構成が用いられる場合を除く。
【００３０】
図４を追加的に参照することによって、複数の第１の流れガイド２６ｃの第３の構成が図示されている。複数の第１の流れガイド２６ｃは、ここに他であることが図示されるか記述される場合を除き、第１の流れガイド２６ａ、２６ｂ（図１から図３）と同様である。したがって、ここに他であることが図示されるか記述される場合を除き、図１から図４で同じ符号は、同じ要素を示している。
【００３１】
この例において、複数の第１の流れガイド２６ｃの基部７８ｃは、図２および図３の距離Ｌａまたは距離Ｌｂと同様にできる距離Ｌｃだけ、第１端部材３０から一般的に見て長手方向軸８６と平行な外方向へ向かって延び出すことができる。ファンネル部分８２ｃは、距離Ｈｃだけ基部７８ｃの反対側から延び出すことがき、頂部９０ｃへ向けて角度付けることができる。この例において、距離Ｈｃは、距離Ｈｃが第１流れガイド２６ｃのすべてと同じであるように、図２の距離Ｈａと同様にできる。代替的な構成において、図示されていないが、距離Ｈｃが第１ポート５４からの距離によって変わることができるように、距離Ｈｃは図３の距離Ｈｂと同様にできる。
【００３２】
隣接しているファンネル部分８２ｃの反対側の部分は、一般的に見て、合計ファンネル角としてθｃをもつひとつのファンネルを形成している。隣接しているファンネル部分８２ｃの反対側の部分は、ファンネルが傾くことができるように、異なる長さを有する。一例では、隣接したファンネル部分８２ｃの対向側面は、合計ファンネル角度θｃが斜めになるように、あるいは角度付けられるように、全体的に第１ポート５４に向かうように、角度付けられている。言い換えると、合計ファンネル角度θｃは、長手方向軸８６により非均等に分割される。分割された大きいほうの合計ファンネル角度θｃは、第１ポート５４に向かう角度に近くなりえる。この例において、第１ポート５４に近接している合計ファンネル角度θｃは、第１ポート５４からの増加する距離に応じて増加することができる。複数の合計ファンネル角度θｃの分布は、比例的である。ひとつの合計ファンネル角度θｃは、第１ポート５４からの距離に応じた角度である。合計ファンネル角度θｃは、さらに、第１ポート５４に対する位置に依存する、異なる全面的な角度でありえる。
【００３３】
図５への追加的な参照により、複数の第１流れガイド２６ｄの第４の構成例が図示されている。複数の流れガイド２６ｄは、ここに他であることが図示されるか記述される場合を除き、図１から図４の第１の流れガイド２６ａから２６ｃと同じであってもよい。したがって、ここに他であることが図示されるか記述される場合を除き、図１から図５で同じ符号は、同じ要素を示している。
【００３４】
この例において、複数の第１の流れガイド２６ｄの基部７８ｄは、距離Ｌｄだけ、第１端部材３０から一般的に見て長手方向軸８６と平行な外方向へ向かって延び出すことができる。それぞれの第１の流れガイド２６ｄの距離Ｌｄは、第１ポート５４に対する位置に依存して異なることがある。この例において、一般的に見て、距離Ｌｄは第１ポート５４からの増加した距離につれて増加する。ただし、他の構成を使用可能である。
【００３５】
ファンネル部分８２ｄは、距離Ｈｄだけ、基部７８ｄの対向面から延び出すことができ、頂部９０ｄを形成するように角度付けられる。この例において、距離Ｈｄは、距離Ｈｄが複数の第１の流れガイド２６ｄのすべてについて同じであるように、図２の距離Ｈａと同じであることもできる。代替的な構成において、図示はされていないが、第１ポート５４からの距離に応じて変化する距離Ｈｄのように、距離Ｈｄは図３の距離Ｈｂと同じであることもできる。
【００３６】
隣接したファンネル部分８２ｄの反対側は、一般的にみて、図２の合計ファンネル角度θａと同様の合計ファンネル角度θｄを有するファンネルを形成することもできる。合計ファンネル角度θｄは、すべての隣接した第１の流れガイド２６ｄの間において、同じであり得る。そして、合計ファンネル角度θｄは、一般的に見て、長手方向軸８６によって二分することができる。ただし、他の構成が用いられる場合を除く。代替的な構成において、特に示されないが、ファンネル部分８２ｄは、指向性および／または第１ポート５４に関する位置に応じて変えることができる合計ファンネル角度θｅの全面的角度のようにファンネル部分８２ｃと同じように構成することができる。
【００３７】
図６への追加的な参照において、複数の第１の流れガイド２６ｅの５番目の構成が図示される。第１の流れガイド２６ｅは、ここに他の構成が図示されるか説明される場合を除いて、第１の流れガイド２６ａ−２６ｄ（図１から図５）と同様でもよい。したがって、図１から図６の間の同様の参照数字は、ここに他の構成が図示されるか説明される場合を除いて、同様の要素を示している。
【００３８】
この例において、複数の第１の流れガイド２６ｅの基部７８ｅは、図２の距離Ｌａと同様にできる距離Ｌｅだけ、第１端部材３０から一般的に見て長手方向軸８６と平行な外方向へ向かって延び出すことができる。代替的な構成において、特に図示されていないが、距離Ｌｅが第１ポート５４に対する位置に応じて変化するように、距離Ｌｅは、距離Ｌｄと同様でも良い。
【００３９】
ファンネル部分８２ｅは、距離Ｈｅだけ基部７８ｅの反対側から延び出すことがき、頂部９０ｅへ向けて角度付けることができる。この例において、距離Ｈｅは、距離Ｈｅが複数の第１の流れガイド２６ｅのすべてについて同じであるように、図２の距離Ｈａと同じであることもできる。代替的な構成において、図示されていないが、距離Ｈｅが第１ポート５４からの距離によって変わることができるように、距離Ｈｅは図３の距離Ｈｂと同様にできる。
【００４０】
隣接したファンネル部分８２ｅの対向側面は、図２における合計ファンネル角度θａと同様の合計ファンネル角度θｅを有するファンネルを一般に形成する。合計ファンネル角度θｅは、すべての隣接した第１の流れガイド２６ｅの間において、同じであり得る。そして、合計ファンネル角度θｅは、一般的に見て、長手方向軸８６によって二分することができる。ただし、他の構成が用いられる場合を除く。代替的な構成において、特に示されないが、ファンネル部分８２ｅは、指向性および／または第１ポート５４に関する位置に応じて変えることができる合計ファンネル角度θｅの全面的角度のようなものに関して、ファンネル部分８２ｃと同じように構成することができる。
【００４１】
この例において、いくつかの第１の流れガイド２６ｅは、複数のベーン９４を備えることも可能である。それぞれのベーン９４は、複数の頂部９０ｅのひとつに固定的に結合することができ、距離Ｖだけ、第１端部材３０から一般的には離れるように頂部９０ｅから離れることができる。距離Ｖは、第１ポート５４からの距離が大きくなるにつれて大きくなることができる。ただし、他の構成を使用可能である。複数のベーン９４は、具体的に図示されていないが、第１ポート５４から第１流体の流れを仕向けるように第１ポート５４に向かって一般的に曲げることができる。ベーン９４のサイズ、位置、そして形は、望まれる流れ特性に基いて設定可能と理解される。この例において、第１ポート５４の近くにある複数の第１の流れガイド２６ｅは、ベーン９４を持たないように構成され、第１ポート５４から遠い複数の第１の流れガイド２６ｅは、ベーン９４を有する。ただし、他の構成が使用可能である。
【００４２】
図７の追加的な参照において、複数の第１の流れガイド２６ｆの第６構成が図示されている。複数の第１の流れガイド２６ｆは、ここに他の構成が図示され説明される場合を除いて、第１の流れガイド２６ａ−２６ｅ（図１から図６）と同様でもよい。したがって、ここに他であることが図示されるか記述される場合を除き、図１から図７で同じ符号は、同じ要素を示している。
【００４３】
この例において、複数の第１の流れガイド２６ｆの基部７８ｆは、図２の距離Ｌａと同様にできる距離Ｌｆだけ、第１端部材３０から一般的に見て長手方向軸８６と平行な外方向へ向かって延び出すことができる。代替的な構成において、特に図示されていないが、距離Ｌｆが第１ポート５４（図１から図６に示されている）に対する位置に応じて変化するように、距離Ｌｆは、距離Ｌｄと同様でも良い。
【００４４】
ファンネル部分８２ｆは、距離Ｈｆだけ、基部７８ｆの対向面から延び出すことができ、頂部９０ｆを形成するために角度付けることができる。この例において、距離Ｈｆは、距離Ｈｆが複数の第１の流れガイド２６ｆのすべてについて同じであるように、図２の距離Ｈａと同じであることもできる。代替的な構成において、特に示されないが、距離Ｈｆは、第１ポート５４（図１から図６には図示されている）からの距離に応じて変化する距離Ｈｆのように、図３における距離Ｈｂに似ているかもしれない。この例において、他の構成を使用可能であるが、ファンネル部分８２ｆは、一般的に見て楕円か卵形の形に曲げられることができる。隣接するファンネル部分８２ｆの対向側面は、第１端部材３０からの距離が増加するにつれて膨張するファンネルを一般的に形成している。特に示されなかったが、第１の流れガイド２６ｆは、さらに図６のベーン９４と同様の複数のベーンを含むことができる。
【００４５】
図８および図９への追加的な参照において、複数の第１の流れガイド２６ｇの７番目の構成が図示されている。図９は第１の流れガイド２６ｇの断面図を図示しているが、第１の流れガイド２６ａ−２６ｆは、図９に図示されるそれに対して同様の断面を持つことができることが理解される。第１の流れガイド２６ｇは、ここに他の構成が図示されるか説明される場合を除いて、第１の流れガイド２６ａ−２６ｆ（図１から図７）と同様でもよい。したがって、ここに他であることが図示されるか記述される場合を除き、図１から図９で同じ符号は、同じ要素を示している。
【００４６】
この例において、複数の第１の流れガイド２６ｇの基部７８ｇは、図２の距離Ｌａと同様にできる距離Ｌｇだけ、第１端部材３０から一般的に見て長手方向軸８６と平行な外方向へ向かって延び出すことができる。代替的な構成において、特に図示されていないが、距離Ｌｇが第１ポート５４（図１から図６に示されている）に対する位置に応じて変化するように、距離Ｌｇは、距離Ｌｄと同様でも良い。
【００４７】
ファンネル部分８２ｇは、距離Ｈｇだけ、基部７８ｇの対向面から延び出すことができ、頂部９０ｇを形成するために角度付けることができる。この例において、頂部９０ｇは、一般的に見て平面と呼ぶことができる。ただし、例えば、尖った頂部、または丸い頂部のような他の構成を用いることができる。この例において、距離Ｈｇは、距離Ｈｇがすべての第１の流れガイド２６ｇについて同一であるように、図２における距離Ｈａと同一でもよい。代替的な構成において、特に示されないが、距離Ｈｇは、第１ポート５４（図１から図６には図示されている）からの距離に応じて変化する距離Ｈｇのように、図３における距離Ｈｂに似ているかもしれない。
【００４８】
この例において、ファンネル部分８２ｇは、基部７８ｇとファンネル部分８２ｇとの間に半径Ｒを形成するように曲げられることができる。具体的に図示されていないが、半径Ｒは、適用対象に応じて変化することができ、かつ、図１から図６に図示したように、第１ポート５４に対する距離に依存して変化することができる。この例において、半径Ｒの曲面は、チューブ３８の接線から頂部９０ｇの接線へ曲がっている。よって、距離Ｈｇは、半径Ｒに依存している。隣接するファンネル部分８２ｇの対向側面は、第１端部材３０からの距離が増加するにつれて膨張するファンネルを一般的に形成している。具体的に図示されていないが、第１の流れガイド２６ｇは、図６の複数のベーン９４と同様に、複数のベーンを備えることができる。
【００４９】
図１０への追加的な参照において、熱交換器１０１０の一部の破断図が示されている。熱交換器１０１０は、ここに他の構成が図示され説明される場合を除いて、図１−図９の熱交換器１０と同様である。熱交換器１０１０は、第１タンク１０１４と、熱交換器１０１０のコア１０２２の第１端部材１０３０の間に位置させることができる挿入部品１０２４を含むことができる。第１タンク１０１４、コア１０２２および第１端部材１０３０は、図１から図９に図示された、第１タンク１４、コア２２および第１端部材３０と同様である。挿入部品１０２４は、周囲１０２８を持つ一体物であることができ、複数の第１の流れガイド１０２６を含むことができる。挿入部品１０２４は、第１タンク１０１４に、および／または、第１端部材１０３０に、例えばろう付け、溶接、接着、ファスナー、あるいは圧迫適合のような任意の適切な方法によって、固定的に結合することができる。代替的に、第１タンク１０１４および第１端部材１０３０は、挿入部品１０２４をそれらの間にはさみ込み、かつ複数のチューブ１０３８に関連のある場所に、挿入部品１０２４を保持するように協力することができる。
【００５０】
周囲１０２８は、第１の流れガイド１０２６の周りに延びることができ、複数のチューブ１０３８と第１端部材１０３０の周囲１０３２との間に、一般的に見て、位置付けられることができる。第１の流れガイド１０２６は、一般的に見て、第１の流れガイド２６ａ−２６ｇ（図１−９）と同様であり、図２−９に示されたと同様の断面を有する。このように、基部７８ａ−７８ｇ（図２−９）、ファンネル部分８２ａ−８２ｇ（図２−９）、および頂部９０ａ−９０ｇ（図２−９）と同様に、第１の流れガイド１０２６は、複数の基部（図示されていない）と、複数の頂部１０９０を形成する複数のファンネル部分１０８２をもつ。特に示されなかったが、第１の流れガイド１０２６はさらに、図６を参照して上述された複数のベーン９４と同様に、複数のベーンを有することができる。隣接する複数の第１の流れガイド２０２６は、周囲１０２８に、およびともに固定的に結合でき、そして、複数のチューブ１０３８の個々のひとつに第１流体（特に図示されていない）を集めるように、位置付けることができる。
【００５１】
図１１および図１２への追加的な参照において、隣接する第１の流れガイド２６ｇ（図８および図９を参照して上述された）と、対応する複数のチューブ３８の複数の終端４２との間における、インターフェース部分の代替的な構成が図示されている。第１の流れガイド２６ｇを参照して図示されたが、インターフェース部分は、複数の第１の流れガイド２６ａ−２６ｇ，又は１０２６（図１から図１０）のうちのどの場合でもありうると理解される。図１１は、チューブ３８の内面４４が基部７８ｇおよびファンネル部分８２ｇと滑らかでないように、チューブ３８の外面４０の外側に基部７８ｇが着座する、第１の構成を示す。この構成では、チューブ３８はファンネル部分８２ｇへ滑らかに移行してゆかない。図１２は、チューブ３８の内面４４がファンネル部分８２ｇへ滑らかに移行してゆくように、そして、滑らかであるように、基部７８ｇに対して部分的に切り込まれたチューブ３８に基部７８ｇが着座する、第２の構成を示す。
【００５２】
図１３の追加的な参照において、第１流れガイド２６ａの代替的な構成が示されている。第１流れガイド２６ａは図２に図示され、説明されている。この構成において、複数のファンネル部分８２ａの対向する側面は、第１の流れガイド２６ａを通して隣接する複数のファンネルを流体的に連通させることができる開口８４、８６を区画することができる。このように、複数のチューブ３８のひとつの圧力が、そのチューブ３８への流れを妨げても、そのチューブ３８に対応するファンネル部分の中に流れ込む流体は、複数のチューブ３８の隣接する他に、開口８４、８８を通ることができる。したがって、開口８４、８８は、隣接した第１の流れガイド２６ａの間の液体の沈滞を防ぐ。第１の流れガイド２６ａを参照して図示され、説明されているが、第１の流れガイド２６ｂ−２６ｇ、および１０２６は、同様の開口８４、８８を備えることができることが理解される。
【００５３】
図１４への追加的な参照において、挿入部品１０２４の代替的な構成が示されている。挿入部品１０２４は図１０に図示され、説明されている。この構成において、周囲１０２８は、第１端部材１０３０の周囲１０３２と第１タンク１０１４の周囲１４４８との間に延びるシール部分１４３６を有する。第１端部材１０３０の周囲１０３２は、第１端部材１０３０と第１タンク１０１４とを固定的に結合するように、第１タンク１０１４の周囲１４４８の３つの側面の周囲を包み込むことができる。この実施例では、周囲１０３２は、周囲１４４８にかしめ固定される。ただし、他の構成が使用される場合を除く。シール部分１４３６は、周囲１０３２と周囲１４４８との間にサンドイッチされることによってそれらの間にシールを形成している。第１の流れガイド１０２６を参照して、ここに図示され、記述されるように、第１の流れガイド２６ａ−２６ｇは同様にして構成できると理解されるべきである。
【００５４】
周囲１０２８およびシール部分１４３６は、流れガイド１０２６として同一材料の一体的に成形されたものとして図示されているが、つまり、挿入部品１０２４は材料の単一部品であるが、他の構成を使用することができる。例えば、周囲１０２８および／またはシール部分１４３６は、挿入部品１０２４の残りの部分とは異なる材料で構成することができる。ひとつのそのような構成の中で、周囲１０２８および／または、シール部分１４３６は、単一の組立体を形成するように、挿入部品１０２４の残り部分に、かしめ固定されるか、上につくようにモールドされるか、または、共同的にモールドされることができる。
【００５５】
図１５を追加的に参照することによって、図９の断面図と同様な断面図は、挿入部品１０２４の代替的な構成をもつ熱交換器１０１０の一部を図示している。この構造では、挿入部品１０２４は、さらに、複数の支援ピン１５８０を含むことができる。この例において、ふたつの支援ピン１５８０は、挿入部品１０２４から、第１の流れガイド１０２６の隣接したものの間に、延び出している。支援ピン１５８０は、一般的に、基部１０７８から、そして、チューブ１０３８の内部へ延びている。支援ピン１５８０は、チューブ１０３８の内部の対向している２面に接する、あるいは整列することができる。支援ピン１５８０は、チューブ１０３８と挿入部品１０２４とを整列させるように、そして、複数のチューブ１０３８の終端１０４２の崩壊を防ぐように、複数のチューブ１０３８の中に延びることができる。支援ピン１５８０の数および位置は、適用例に基づいて決定することができる。例えば、一対の支援ピン１５８０は、それぞれのチューブ１０３８、または選択されたチューブ１０３８にのみ受け入れられることができる。
【００５６】
ここには、以下に述べる熱交換器が開示されている。第１に熱交換器は、第１端部材、第２端部材、および第１および第２端部材の間に縦方向に延在する複数のチューブを含むコア体と、第１端部材に固定してつながれ、第１ポートを含む第１タンクであって、第１端部材とともに複数のチューブおよび第１ポートと流体的に連通状態にある第１容積室を区画する第１タンクと、第２端部材に固定してつながれ、第２ポートを含む第２タンクであって、第２端部材とともに複数のチューブおよび第２ポートと流体的に連通状態にある第２容積室を区画する第２タンクと、第１端部材に連結され、複数の第１ファンネル部を区画するように協働する第１群の複数のガイド部材であって、第１ファンネル部の狭い端部が複数のチューブのそれぞれに開口し、第１ファンネル部の広い端部が第１容積室に開口している第１群の複数のガイド部材とを備える。
【００５７】
上記熱交換器は、例えば、好適には以下の構成を備えることができる。第２に、第１群をなす複数のガイド部材は、第１のガイド部材、および第２のガイド部材を含み、第１のガイド部材は、第２のガイド部材より大きな距離だけ、第１端部材から第１タンクの中へ延びている。
【００５８】
第３に、第１群をなす複数のガイド部材は、頂部でつながる第１の壁、および第２の壁を有する第１のガイド部材を有し、この第１のガイド部材は複数のチューブと平行な頂部を通る軸に関して対称的ではない。
【００５９】
第４に、第１群をなす複数のガイド部材は、第１のガイド部材および第２のガイド部材を含み、第１のガイド部材および第２のガイド部材は複数のチューブと平行な一対の基部壁と、頂部において第１または第２のガイド部材の基部壁をつなぐファンネル部分とを有し、第１のガイド部材の基部壁は第２のガイド部材の基部壁よりも長い。
【００６０】
第５に、第１群をなす複数のガイド部材のそれぞれは、一対の基部壁、およびそれぞれのガイド部材の基部壁を頂部でつなぐファンネル部分とを有し、少なくともファンネル部分の頂部から基部壁まで曲がっている。
【００６１】
第６に、第１群をなす複数のガイド部材のそれぞれは、一対の基部壁、およびそれぞれのガイド部材の基部壁を頂部でつなぐファンネル部分とを有し、基部壁はチューブの内面と滑らかである。
【００６２】
第７に、さらに、第２群をなす複数のガイド部材を有し、第２群をなすガイド部材のそれぞれは、複数の第２ファンネル部を区画するように協働しており、第２ファンネル部の狭い端部が複数のチューブのそれぞれに開口し、第２ファンネル部の広い端部が第２容積室に開口している。
【００６３】
第８に、第１群をなす複数のガイド部材は、各々は、第１ポートへ向かうそれぞれのガイド部材の頂部から延び出すベーンを有する。
【００６４】
第９に、第１群をなす複数のガイド部材の各々のガイド部材は、第１ファンネル部の狭い端部と広い端部との間の開口であって、第１ファンネル部の隣接するふたつを流体的に連結する開口を区画する。
【００６５】
第１０に、さらに、第１群をなす複数のガイド部材と固定的に結合され、第１群をなす複数のガイド部材の周囲を囲んで延びているシール部材であって、第１タンクと第１端部材とを連結してそれらの間にシールを形成するためのシール部材を備える。
【００６６】
第１１に、さらに、第１群をなす複数のガイド部材と固定的に結合された複数のピンであって、それぞれのピンは、対応する第１のファンネル部分の狭い端部から、複数のチューブの対応するひとつの中に延びている。
【００６７】
ここには、以下に述べる熱交換器のための挿入部品が開示されている。第１２に、第１タンク、第２タンク、および、第１タンクと第２タンクとの間に延在する複数のチューブを有するコアとを備える熱交換器のための挿入部品において、複数のファンネル部分を区画しており、第１タンクとコアとの間の熱交換器に受け入れられるように構成されている本体であって、それぞれのファンネル部分は、複数のチューブのひとつに整列するように、そして、複数のチューブのひとつに近接した小さい開口から、タンクに近接した大きい開口へ、複数のチューブをタンクに流体的に結合するように、拡大するように形成されている。
【００６８】
第１３に、本体は、ファンネル部分と、複数のファンネル部分の間の頂部とを区画するために協働する複数のガイド部材を有し、複数のガイド部材の第１のひとつの頂部は、複数のガイド部材の第２のひとつの頂部よりも、小さい開口からの距離が大きい。
【００６９】
第１４に、本体は、ファンネル部分を区画するために協働する複数のガイド部材を有し、それぞれのガイド部材は、頂部でつながる第１壁と第２壁とを有し、複数のガイド部材の第１のひとつの第１壁は、複数のガイド部材の第２のひとつの第２壁よりも長い。
【００７０】
第１５に、第１群をなす複数のガイド部材は、第１のガイド部材および第２のガイド部材を含み、第１のガイド部材および第２のガイド部材のそれぞれは、一対の基部壁と、ファンネル部分とを有し、複数の基部壁は実質的に複数のチューブと平行であり、ファンネル部分は頂部において複数の基部壁をつないでおり、第１のガイド部材の基部壁は第２のガイド部材の基部壁よりも長い。
【００７１】
第１６に、本体は、複数のガイド部材と複数のベーンとを有しており、複数のガイド部材は、ファンネル部分を区画するように協働しており、複数のファンネル部分のそれぞれの間の頂部を区画しており、そして、複数のベーンのそれぞれは、複数の頂部の対応するひとつに固定的に結合され、そこから複数のファンネル部分から離れるように延び出している。
【００７２】
第１７に、本体は、ファンネル部分を区画するために協働する複数のガイド部材を有し、それぞれのガイド部材は、頂部でつながる第１壁と第２壁とを有し、第１と第２壁は、一対の隣接するふたつのファンネル部分をガイド部材を通して流体的に連通する一対の開口を区画している。
【００７３】
第１８に、さらに、本体に固定的に結合され、本体の周囲のまわりに延びているシール部を備え、シール部は、第１タンクとコアとを、それらの間にシールを形成しながら、組み合わせるように形成されている。
【００７４】
ここには、以下に述べる熱交換器の挿入部品が開示されている。第１９に、第１タンク、第２タンク、および、第１タンクと第２タンクとの間に延びる複数のチューブを有するコアを有する熱交換器の挿入部品において、第１タンクとコアとの間の熱交換器に受け入れられるように構成されている複数のガイド部を有している本体であって、隣り合うガイド部材は、複数のチューブのひとつの中に開口する狭い開口と、タンクへ複数のチューブを流体的に結合させるようにタンクの中へ開口する大きい開口とを有するファンネル部分を区画するように協働しており、狭い開口と広い開口との間の距離が、第１タンクの入口／出口への接近度が小さくなるにつれて、増加するように形成されている。
【００７５】
第２０に、それぞれのガイド部材は、基部、曲った部分、および頂部を有し、基部は頂部へ曲った部分を経由して移行する。
【００７６】
以上に述べた実施形態の説明は、図示と説明のために与えられたものである。そこには、発明を限定する意図や、網羅的にする意図はない。それぞれの個別の構成要素、または特定の実施形態の特徴は、その特定の実施形態に限定されない。しかし、具体的に図示され説明されていない限り、適用可能であれば、それらは互いに入れ替え可能であり、特定の選ばれた実施形態において利用可能である。それぞれの個別の構成要素、または特定の実施形態の特徴は、多くの手法に変形可能でもある。それらの変形例は発明からの派生物として考慮されるべきではなく、すべてのそれらの変形例は発明の技術的範囲に属するべきものとして意図されている。
【００７７】
例示された実施形態は、この開示が完全になるように、そして、この開示が当業者に技術的範囲を完全に伝えるように提供されている。特定の成分、装置、および方法の例示のような多数の特定の詳細な説明は、この開示の実施形態についての完全な理解を提供するために述べられている。特定の詳細が採用される必要がない場合があること、例示された実施形態が多数の異なる形態によって実施可能であること、そして、何も開示の範囲を限定するように解釈されるべきではないことは当業者には明白である。いくつかの例示された実施形態では、周知の方法、周知の装置構造、および周知の技術は、詳細に記述されない。
【００７８】
ここに使用される用語は、特別の例示された実施形態だけを記述するためのものであり、制限的な意図はない。ここに使用されるように、文脈が明確に反対のことを示さない限り、ひとつを示す語は複数形をも含むように意図されている。用語「備える」「有する」「含む」「もつ」は、包括的であって、したがって記述された特徴、整数、ステップ、操作、要素、および／または部品の存在を述べており、しかし、ひとつまたは複数の他の特徴、整数、ステップ、操作、要素、部品、および／またはそれらの組み合わせの追加または存在を除外しない。ここに説明された方法の工程、処理、および操作は、実行の順序として特別に指定されない限り、説明され、または図示された特定の順序での実行を要求するものとして解釈されない。さらに、追加的な、または代替的な工程が採用可能であるとも理解されるべきである。
【００７９】
ここでは、様々な要素、部品、領域、層、および／または区分について記述するために、第１、第１、第３などの用語が使用されることがあるが、それらの要素、部品、領域、層、および／または区分はそれらの用語では限定されない。これらの用語はひとつの要素、部品、領域、層、また区分を他の要素、部品、領域、層、また区分から区別するために単純に使用される。文脈によって明示されない限り、「第１」、「第２」および他の数詞は使用された場合に順序または順番を意味しない。したがって、例示された実施形態の教示から外れずに、ここに記述の第１要素、第１部品、第１領域、第１層、および第１区分は、第２要素、第２部品、第２領域、第２層、および第２区分としても記述可能である。
【符号の説明】
【００８０】
１０、１０１０  熱交換器、１４、１０１４  第１タンク、１８  第２タンク、
２２  コア、１０２４  挿入部品、
２６、２６ａ−２６ｇ、１０２６、２０２６  第１流れガイド、
２８  第２流れガイド、３０、１０３０  第１端部材、３４  第２端部材、
３８  チューブ、４２、４６  終端、５０  フィン、
５４  第１ポート、６２  第１容積室、６６  第２ポート、７４  第２容積室、
７８ａ−７８ｇ、１０７８  基部、
８２ａ−８２ｇ、１０８２  ファンネル部分、
８６  長手方向軸、  ９０ａ−９０ｇ、１０９０  頂部、  ９４  ベーン。
【図１】
0006278069.tif 000002
【図２】
0006278069.tif 000003
【図３】
0006278069.tif 000004
【図４】
0006278069.tif 000005
【図５】
0006278069.tif 000006
【図６】
0006278069.tif 000007
【図７】
0006278069.tif 000008
【図８】
0006278069.tif 000009
【図９】
0006278069.tif 000010
【図１０】
0006278069.tif 000011
【図１１】
0006278069.tif 000012
【図１２】
0006278069.tif 000013
【図１３】
0006278069.tif 000014
【図１４】
0006278069.tif 000015
【図１５】
0006278069.tif 000016